(57)【要約】【課題】本発明は、測光範囲ぎりぎりのような撮影条件であっても不都合のない逆光判定を行うことができるようにしたカメラを提供する。【解決手段】本発明の一態様によると、被写体の輝度信号を検出可能な、焦点検出のための複数の領域を有するセンサアレイと、前記センサアレイの単数または複数の領域のセンサ出力から前記被写体の輝度信号を算出する第１の測光手段と、前記センサアレイによる前記被写体の輝度信号の検出よりも広い範囲で被写体輝度信号を検出可能な第２の測光手段と、前記第２の測光手段からの出力に応じて、前記第１の測光手段の使用が禁止可能か否かを判断する判断手段と、を有することを特徴とするカメラが提供される。【選択図】　　図１
2004012614.tif 000002
【特許請求の範囲】
【請求項１】
被写体の輝度信号を検出可能な、焦点検出のための複数の領域を有するセンサアレイと、
前記センサアレイの単数または複数の領域のセンサ出力から前記被写体の輝度信号を算出する第１の測光手段と、
前記センサアレイによる前記被写体の輝度信号の検出よりも広い範囲で被写体輝度信号を検出可能な第２の測光手段と、
前記第２の測光手段からの出力に応じて、前記第１の測光手段の使用が禁止可能か否かを判断する判断手段と、
を有することを特徴とするカメラ。
【請求項２】
被写体の撮影のための露光手段と、
前記被写体の輝度信号を検出可能な、焦点検出のための複数の領域を有するセンサアレイと、
前記センサアレイの単数または複数の領域のセンサ出力から前記被写体の輝度信号を算出する第１の測光手段と、
前記センサアレイによる前記被写体の輝度信号の検出よりも広い範囲で前記被写体の輝度信号を検出可能な第２の測光手段と、
前記第１の測光手段による輝度信号と、前記第２の測光手段による輝度信号との差が所定値より大きいか否かに応じて、前記被写体の撮影のための露光量を変更するか否かを判断する判断手段とを有し、
前記判断手段は、前記第１の測光手段の出力に応じて、前記露光量の判断を変更することを特徴とするカメラ。
【発明の詳細な説明】
【０００１】
【発明の属する技術分野】
本発明はカメラに係り、特に、逆光判定機能を有するカメラに関する。
【０００２】
【従来の技術】
従来、逆光判定機能を有するカメラとしては、測光センサにより主要被写体の輝度を測定し、逆光検知を行うようにしたカメラが知られている。
【０００３】
また、従来、逆光判定機能を有するカメラとしては、エリアＡＦカメラにおいて、ＡＦセンサで選択された主要被写体の輝度をＡＦセンサで測定し、ＡＥセンサの全体平均輝度とを比較することにより、逆光判断を行うようにしたカメラが知られている。
【０００４】
すなわち、このようなカメラでは、ＡＦセンサと、ＡＥセンサとは、それぞれの本来の目的のために、異なるセンサが使われている。
【０００５】
また、測光に要するダイナミックレンジがかなり広いため、それぞれのセンサはともに、通常撮影に必要なダイナミックレンジぎりぎりの値で設計されていることが多い。
【０００６】
【発明が解決しようとする課題】
ところで、前述したような従来の技術によるカメラでは、必然的に二つの異なるセンサでは測光可能範囲が異なつてしまう。
【０００７】
特に、ＡＦセンサは、一般に、センサの光電流を積分して、スレッシュレベルに達するまでの時間により、被写体輝度を得る方式が多いため、高輝度の場合には、光電流が大きく、スレッシュレベルに達する時間が短くなり、高輝度側の測光範囲が少ない。
【０００８】
このとき、測光可能範囲ぎりぎりや、それを超えるような撮影条件の場合に、正確な逆光検知を行うことができず、誤った逆光検知が行われてしまうという問題がある。
【０００９】
例えば、被写体輝度がＡＦセンサの測光可能輝度限界値を超えているが、ＡＥセンサの測光可能範囲内であるような被写体領域ではＡＦセンサは測定限界を超えているため、被写体輝度とは異なるデータを出力し、正確な逆光判定が行えず、実際には、逆光でないのに、誤って逆光であると判断してしまうという問題がある。
【００１０】
本発明は、上記の事情に鑑みてなされたもので、ＡＦセンサとＡＥセンサとで逆光検知するシステムにおいて、少なくとも一つのセンサでの測光値が所定輝度以上の場合には逆光検知を行わないようにすることにより、片方のセンサの測光範囲ぎりぎりのような撮影条件であっても不都合のない逆光判定を行うことができるようにしたカメラを提供することを目的とする。
【００１１】
【課題を解決するための手段】
本発明によると、上記課題を解決するために、
（１）　被写体の輝度信号を検出可能な、焦点検出のための複数の領域を有するセンサアレイと、
前記センサアレイの単数または複数の領域のセンサ出力から前記被写体の輝度信号を算出する第１の測光手段と、
前記センサアレイによる前記被写体の輝度信号の検出よりも広い範囲で被写体輝度信号を検出可能な第２の測光手段と、
前記第２の測光手段からの出力に応じて、前記第１の測光手段の使用が禁止可能か否かを判断する判断手段と、
を有することを特徴とするカメラが提供される。
【００１２】
（作用）
測光センサ輝度に応じて、ＡＦセンサスポット測光を禁止する。
【００１３】
また、本発明によると、上記課題を解決するために、
（２）　被写体の撮影のための露光手段と、
前記被写体の輝度信号を検出可能な、焦点検出のための複数の領域を有するセンサアレイと、
前記センサアレイの単数または複数の領域のセンサ出力から前記被写体の輝度信号を算出する第１の測光手段と、
前記センサアレイによる前記被写体の輝度信号の検出よりも広い範囲で前記被写体の輝度信号を検出可能な第２の測光手段と、
前記第１の測光手段による輝度信号と、前記第２の測光手段による輝度信号との差が所定値より大きいか否かに応じて、前記被写体の撮影のための露光量を変更するか否かを判断する判断手段とを有し、
前記判断手段は、前記第１の測光手段の出力に応じて、前記露光量の判断を変更することを特徴とするカメラが提供される。
【００１４】
（作用）
測光センサ輝度に応じて、逆光判断のスレッシュレベルを変更する。
【００１５】
【発明の実施の形態】
以下図面を参照して本発明の実施の形態について説明する。
【００１６】
図１は、本発明の一実施の形態によるカメラの主要部の構成を示すブロック図である。
【００１７】
この図１は、撮影レンズ８から入った被写体像をシャッタ１９の開閉によりフィルム１０に撮影するいわゆるレンズシャッタ式銀塩カメラのブロック図を示している。
【００１８】
ＣＰＵ１は、カメラ全体のシーケンスを制御するために、例えば、１チップマイクロコンピュータ等からなる制御手段である。
【００１９】
ＣＰＵ１は、撮影者によるスイッチ入力手段１３への操作にしたがって、所定のシーケンスで撮影を行わせるための処理を行う。
【００２０】
被写体１７を測距するための測距手段として、基線長Ｂだけ離れて配置された２つの受光レンズ２ａ、２ｂを介して得られた被写体像信号が、一対のセンサアレイ３ａ、３ｂよって光電変換され、それをＡ／Ｄ変換手段４にてＡ／Ｄ変換することにより、デジタル像信号が得られる。
【００２１】
ＣＰＵ１は、この一対のデジタル像信号を比較することにより、像入力信号の相対位置差Ｘを求める。
【００２２】
すなわち、この相対位置差Ｘは、被写体距離Ｌと受光レンズ２ａ、２ｂの焦点距離Ｆ及び上記基線長Ｂによって、Ｘ＝ＢＦ／Ｌの関係で変化するので、このＸを検出することにより、ＣＰＵ１によってピント合わせ距離Ｌを算出することができる。
【００２３】
センサアレイ３ａ、３ｂは、例えば、非ＴＴＬ−ＡＦ型であって、カメラの水平方向に延設されており、図２に示すような被写体シーシを狙ったときには、領域２３ａをモニタすることになる。
【００２４】
この全モニタ領域２３ａを図３の（ａ）に示すように１３個のブロックに分割し、その各ブロックの像信号を用いて前述のＸ検出を行うことによって、画面内の１３のポイントの測距が可能となる。
【００２５】
このようにして得られた１３個の測距信号のうち、例えば、一番近い距離を示すものを主被写体距離とする。
【００２６】
ズームレンズである撮影レンズ８を含む撮影光学系と、測距光学系（受光レンズ２ａ、２ｂ）、測光光学系（ＡＥレンズ５）とは別々に設けられている。
【００２７】
ＣＰＵ１は、不図示の操作部材を撮影者が操作すると、撮影レンズ８の焦点距離をズーム駆動回路１４を介して駆動し、広角側から望遠側に動かすことにより、撮影の画角、撮影視野を変更可能な構成となっている。
【００２８】
このカメラには、撮影者が撮影画面を確認するためのファインダ光学系２０が、設けられている。
【００２９】
このファインダ光学系２０は、撮影レンズ８の焦点距離に連動して動作するよう構成されている。
【００３０】
すなわち、ＣＰＵ１がズーム駆動回路１４を介して、撮影レンズ８の焦点距離を広角側から望遠側に動かすのに応じて、ファインダ光学系２０も駆動され、焦点距離が広角側から望遠側に変化する。
【００３１】
ファインダ視野は、焦点距離に係わらず、撮影レンズ８の視野と同範囲となるように設計されており、撮影者はこのファインダ光学系２０を覗くことによって、撮影範囲（視野）を認識することができる。
【００３２】
上記のように、撮影光学系と測距光学系は別々に設けられているため、例えば、撮影レンズ８が広角側の場合には、撮影視野は図２に示す２４Ｗであり、センサアレイ３ａ、３ｂの視野は２３ａのようになっている。
【００３３】
また、撮影レンズ８が望遠側の場合には、撮影視野は図２に示す２４Ｔであり、それに対して、測距光学系は撮影レンズ８の焦点距離とは連動していない固定レンズであるため、センサアレイ３ａ、３ｂの視野は変わらないため、撮影視野と測距視野の関係は２４Ｔと２３ａのようになっている。
【００３４】
撮影視野が図２の２４Ｗのような場合には、図３の（ａ）に示すように、測距センサ２３ａの１３個の領域で１３点の多点ＡＦ（マルチＡＦ）を行う。
【００３５】
撮影視野が図２の２４Ｔような場合には、図３の（ｂ）に示すように、測距センサ２３ｂのように測距センサ２３ａの１３点のうち７の領域で７点ＡＦ（マルチＡＦ）を行う。
【００３６】
図１に示すように、ＡＥレンズ５を介した光を受光する分割型の測光センサ６ａ、６ｂが設けられている。
【００３７】
この測光センサ６ａ、６ｂの出力を対数圧縮回路からなるＡＥ回路２１で変換して、撮影画面内の明るさが測定され、その結果により、ＣＰＵ１が露出制御を行うようになされている。
【００３８】
この測光光学系も、撮影レンズ８の光学系とは別に設けられており、撮影レンズ８の焦点距離には連動していない。
【００３９】
そのため、撮影レンズ８が広角、望遠の場合のそれぞれの視野を２４Ｗ、２４Ｔとし、測光センサ６ａ、６ｂの視野２６ａ、２６ｂの関係はそれぞれ図２に示すようになっている。
【００４０】
よって、撮影レンズ８が望遠のときにはセンサ６ａからの出力を用い、広角のときにはセンサ６ａからの出力とセンサ６ｂからの出力の和を用いることで、撮影視野とほぼ同一の部分の測光を行うことができる。
【００４１】
図３の（ａ）、（ｂ）に示すように１３分割された各測距ポイントのそれぞれは、図３の（ｃ）に示すような短冊状の画素からなっており、各画素が像の陰影に合わせてデータを出力するので、図３の（ｄ）に示すような像データが得られる。
【００４２】
このようにして得られた像出力を平均化すると、各測距ポイントの平均的な輝度が求められる。
【００４３】
このような構成により、マルチＡＦによって、主被写体の位置を検出することができ、しかもその位置の輝度が求められるので、詳細を後述する図５に示すような処理フローに基づいて、主被写体を重視した露出制御による撮影が可能となる。
【００４４】
尚、測距センサ３ａ、３ｂを用いた測光に関しては詳細を後述する。
【００４５】
これらのマルチＡＦ測距結果に基づき、ＣＰＵ１は撮影レンズ制御回路（ＬＤ）９を介して撮影レンズ８を制御し、被写体にピントを合わせ、測距センサ３ａ、３ｂでの測光結果と、測光センサ６ａ、６ｂでの測光結果を用いて、シヤッタ１９の開閉制御を行うことにより、主被写体を重視した露出制御による撮影が可能となる。
【００４６】
その露出制御の際に、必要に応じてＣＰＵ１はストロボ回路１５を制御して、ストロボ１６を発光させる。
【００４７】
次に、上記のような構成を３５ｍｍ〜８０ｍｍまで焦点距離が可変なズームレンズカメラに用いた具体例について、図４及び図５を用いて説明する。
【００４８】
図５は、具体的なシーケンスを説明するために示すフローチャートである。
【００４９】
図４は、図５のシーケンスを実行する場合において、測距センサの輝度ＢＶＳＰと、測光センサの輝度ＢＶＡＶＧの値と、発光の関係を説明するために示す図である。
【００５０】
まず、撮影者が操作部材１３を操作することにより、撮影が開始される。
【００５１】
ステップＳ１０１では、ズーム位置を検出し、現在、撮影レンズ８がどの焦点距離に設定されているかを検出する。
【００５２】
ステップＳ１０２では、ステップＳ１０１で検出した焦点距離を変数ＺＭに格納する。
【００５３】
ステップＳ１０３では、変数ＺＭより撮影レンズ８の焦点距離が５０ｍｍよりも望遠か否かを判断し、望遠側であるならばステップＳ１０４へ移行し、広角側であるならばステップ１０５ヘ移行する。
【００５４】
ステップＳ１０４では、撮影レンズ８の焦点距離が望遠側であるため、平均測光には、測光センサとして前述の測光センサ６ａからの出力のみを用いる。
【００５５】
そして、測光センサ６ａの出力から得られた撮影画面全体の平均輝度値を変数ＢＶＡＶＧに格納する。
【００５６】
ステップＳ１０５では、撮影レンズ８の焦点距離が広角側であるため、平均測光には、測光センサとして前述の測光センサ６ａからの出力と、測光センサ６ｂからの出力との平均値を用いる。
【００５７】
そして、測光センサ６ａ、６ｂの出力から得られた撮影画面全体の平均輝度値を変数ＢＶＡＶＧに格納する。
【００５８】
ステップＳ１０６，１０７では、焦点距離が広角側である場合には、１３個の測距ポイントから、焦点距離が望遠側である場合には７個の測距ポイントから主被写体に近辺の測距ポイントを選択し（これの詳細は、図１乃至図３の説明にあるので省略する）、上記主被写体のポイント近辺の測距センサを用いて主被写体距離を算出する。
【００５９】
ステップＳ１０８では、主被写体のポイントを変数ｎに格納する（ここで測距ポイントは、１３ポイントあるため、ｎは１〜１３の値のいずれかである）。
【００６０】
ステップＳ１０９では、主被写体近辺の測距センサ３ａ、３ｂを用いて、主被写体近辺の輝度を測光する。
【００６１】
つまり、前記変数ｎ番目が主被写体のポイント付近の測距センサのため、ｎポイントのＡＦセンサの輝度を測光する。
【００６２】
ステップＳ１１０では、変数ＢＶＳＰにステップＳ１０４の主被写体測光で得られた、主被写体のスポット輝度を格納する。
【００６３】
ステップＳ１１１では、ステップＳ１０６で得られた被写体距離にピントがあうよう撮影レンズ８を駆動する。
【００６４】
ステップＳ１１２では、ステップＳ１０９またはステップＳ１１０で得られた画面全体の平均測光輝度から画面が暗くて、ストロボ１６の発光が必要か否かを判断する。
【００６５】
具体的には、ＢＶＡＶＧと焦点距離に応じた手ぶれ輝度値を比較して、ＢＶＡＶＧの方が小さい場合にはステップＳ１１６へ移行し、そうでなければステップＳ１１３へ移行する。
【００６６】
ステップＳ１１３では、ステップＳ１０９またはステップＳ１１０で得られた画面全体の平均測光輝度から所定輝度以上か否かを判断する。
【００６７】
具体的には、ＢＶＡＶＧと所定輝度ＢＶ（ＢＶ１３）とを比較し、ＢＶＡＶＧの方が小さい場合にはステップＳ１１４へ移行し、そうでなければステップＳ１１５ヘ移行する。
【００６８】
ここで、本発明の実施の形態では、測距のためのセンサ３ａ、３ｂの測光可能範囲は、ＢＶ２〜ＢＶ１３である（これはＩＳＯ１００の場合のＥＶ値に直すと、ＥＶ７〜ＥＶ１８に相当する）。
【００６９】
測距センサ３ａ、３ｂは、ＢＶ１３を超える高輝度が入射した場合は、不定の値を出力してしまう。
【００７０】
高輝度時に、逆光検出のための測光として、スポット測距センサ３ａ、３ｂの値を使用する場合には、ステップＳ１１３のように、測光センサ６ａからの出力または測光センサ６ａ、６ｂからの出力の和であるＢＶＡＶＧの値に応じて、測距センサ３ａ、３ｂの出力を測光に使用するか否か判断することで、測距センサ３ａ、３ｂの測光可能範囲を超えた測光値を使用しないように制御行う。
【００７１】
ステップＳ１１４では、ステップＳ１０７、ステップＳ１０９またはステップＳ１１０で得られた主被写体輝度と画面全体の平均測光輝度から逆光か否かを判断する。
【００７２】
具体的には、ＢＶＡＶＧ−ＢＶＳＰを実行し、その輝度差が１段より大きければ逆光と判定し、ステップＳ１１６へ移行し、そうでなければステップＳ１１５ヘ移行する。
【００７３】
ステップＳ１１５では、ＢＶＡＶＧの輝度値に応じた絞り値でシヤッタを制御してフイルム１０ヘの露出を行う。
【００７４】
ステップＳ１１６では、ＢＶＡＶＧの輝度値に応じた、絞り値でシヤッタを制御するか、または手ぶれ輝度に応じた絞り値でシヤッタを制御して、フィルム１０への露出を行うとともに、逆光である被写体の露出を適性にするため、または、画面全体が暗いのを適性にするために、ストロボ回路１５を介してストロボ１６を発光する。
【００７５】
ステップＳ１１７では、フィルム１０ヘの露光が終了したため、フィルム１０を１駒巻き上げて終了する。
【００７６】
なお、上述したような図５のシーケンスを実行する場合において、測距センサ３ａ、３ｂの輝度ＢＶＳＰと、測光センサ６ａ、６ｂの輝度ＢＶＡＶＧの値と発光の関係とを説明するために示している図４において、横軸は、測光センサ６ａ、６ｂの輝度ＢＶＡＶＧを表し、縦軸は、測距センサ３ａ、３ｂ中の主被写体の部分の輝度ＢＶＳＰを表している。
【００７７】
この図４において、領域Ａは、上述したステップＳ１１２での低輝度判断により発光する低輝度自動発光領域を示している。
【００７８】
また、領域Ｂは、上述したステップＳ１１４での逆光判断により発光する逆光自動発光領域を示している。
【００７９】
また、領域Ｃは、上述したステップＳ１１３での逆光検出を行うか否か判断により発光しない非発光領域を示している。
【００８０】
すなわち、以上のような具体例によれば、測光センサ６ａ、６ｂの測光値に応じて、測距センサ３ａ、３ｂが使用可能な輝度範囲か否かを判断しているので、測距センサ３ａ、３ｂを当該測距センサの測光可能範囲を超えては使用しないようにしていることにより、間違った逆光判断を行うことがない。
【００８１】
次に、上記のような構成を３５ｍｍ〜８０ｍｍまで焦点距離が可変なズームレンズカメラに用いた別の具体例について、図６及び図７を用いて説明する。
【００８２】
図７は、この別の具体例のシーケンスを説明するために示すフローチャートである。
【００８３】
図６は、図７のシーケンスを実行する場合において、測距センサの輝度ＢＶＳＰと、測光センサの輝度ＢＶＡＶＧの値と、発光の関係を説明するために示す図である。
【００８４】
まず、撮影者が操作部材１３を操作することにより、撮影が開始される。
【００８５】
ステップＳ２００では、フイルム１０のＩＳＯ感度を検出し、ＳＶ値に換算し、変数ＳＶに格納する。
【００８６】
ステップＳ２０１では、ズーム位置を検出し、現在、撮影レンズ８がどの焦点距離に設定されているかを検出する。
【００８７】
ステップＳ２０２では、ステップＳ２０１で検出した焦点距離を変数ＺＭに格納する。
【００８８】
ステップＳ２０３では、変数ＺＭより撮影レンズ８の焦点距離が５０ｍｍよりも望遠か否かを判断し、望遠側であるならばステップＳ２０４へ移行し、広角側であるならばステップ２０５ヘ移行する。
【００８９】
ステップＳ２０４では、撮影レンズの焦点距離が望遠側であるため、平均測光には、測光センサとしては、前述の測光センサ６ａの出力のみを用いる。
【００９０】
そして、この測光センサ６ａの出力から得られた撮影画面全体の平均輝度値を変数ＢＶＡＶＧに格納する。
【００９１】
ステップＳ２０５では、撮影レンズの焦点距離が広角側であるため、平均測光には、測光センサとしては前述の測光センサ６ａ、６ｂからの各出力の平均値を用いる。
【００９２】
そして、測光センサ６ａ、６ｂの出力から得られた撮影画面全体の平均輝度値を変数ＢＶＡＶＧに格納する。
【００９３】
ステップＳ２０６では、１３個の測距ポイントから主被写体に近い測距ポイントを選択する（これの詳細は図１乃至図３の説明にあるので省略する）。
【００９４】
ステップＳ２０７では、上記主被写体のポイント近辺の測距センサを用いて被写体距離を算出する。
【００９５】
ステップＳ２０８では、主被写体のポイントを変数ｎに格納する（ここで、測距ポイントは望遠で１３ポイント、広角では７ポイントであるため、ｎは〜１３の値のいずれかである）。
【００９６】
ステップＳ２０９では、主被写体近辺の測距センサｎポイントの出力を用いて、主被写体近辺の輝度を測光する。
【００９７】
ステップＳ２１０では、変数ＢＶＳＰに測距センサｎポイントの主被写体測光で得られた被写体のスポット輝度を格納する。
【００９８】
ステップＳ２１１では、ステップＳ２０７で得られた被写体距離にピントが合うように撮影レンズ駆動回路（ＬＤ）９を介して撮影レンズ８を駆動する。
【００９９】
ステップＳ２１２では、ステップＳ２０４またはステップＳ２０５で得られた画面全体の平均測光輝度から画面が暗くて、ストロボ１６の発光が必要か否かを判断する。
【０１００】
具体的には、焦点距離に応じた手ぶれＥＶ値とＢＶＡＶＧとＳＶの和を比較して、ＢＶＡＶＧとＳＶの和の方が小さい場合にはステップＳ２１８へ移行し、そうでなければステップＳ２１６ヘ移行する。
【０１０１】
ステップＳ２１３では、ステップＳ２０４またはステップＳ２０５で得られた画面全体の平均測光輝度から所定輝度以上か否かを判断する。
【０１０２】
具体的には、ＢＶＡＶＧと所定輝度ＢＶ１３とを比較して、ＢＶＡＶＧの方が小さい場合にはステップＳ２１４へ移行し、そうでなければステップＳ２１５ヘ移行する。
【０１０３】
ステップＳ２１４では、ステップＳ２０７、ステップＳ２０９またはステップＳ２１０で得られた主被写体輝度と、画面全体の平均測光輝度から逆光か否かを判断する。
【０１０４】
具体的には、ＢＶＡＶＧ−ＢＶＳＰを実行し、その輝度差が２段より大きければ逆光であると判定し、ステップＳ２１８へ移行し、そうでなければステップＳ２１７ヘ移行する。
【０１０５】
ステップＳ２１５では、ステップＳ２０４またはステップＳ２０５で得られた画面全体の平均測光輝度が所定輝度以上か否かを判断する。
【０１０６】
具体的には、ＢＶＡＶＧと所定輝度ＢＶ５を比較して、ＢＶＡＶＧの方が大きい場合にはステップＳ２１４へ移行し、そうでなければステップＳ２１６ヘ移行する。
【０１０７】
ステップＳ２１６では、ステップＳ２１７、ステップＳ２０９またはステップＳ２１０で得られた主被写体輝度と、画面全体の平均測光輝度から逆光か否かを判断する。
【０１０８】
具体的には、ＢＶＡＶＧ−ＢＶＳＰを実行し、その輝度差が１段より大きければ逆光と判定し、ステップＳ２１８へ移行し、そうでなければステップＳ２１７へ移行する。
【０１０９】
ここで、本発明の実施の形態では、測距のためのセンサ３ａ、３ｂの測光可能範囲はＢＶ０〜ＢＶ１５である（これはＩＳＯ１００の場合のＥＶ値に直すと、ＥＶ５〜ＥＶ２１に相当する）。
【０１１０】
しかし、測距センサ３ａ、３ｂは、高輝度側と低輝度側とのリニアリティが悪く、ＢＶ１３を超える高輝度や、ＢＶ５以下の低輝度における測光では、誤差が大きくなる。
【０１１１】
このため、本発明の実施の形態では、高輝度、または、低輝度時に、逆光検出のための測光として測距センサ３ａ、３ｂの値を使用する場合には、ステップＳ２１３、ステップＳ２１４、ステップＳ２１５、ステップＳ２１６のように、逆光の判断のためのスレッシュ値を変更し、測光誤差の少ない範囲での逆光の判断のためのスレッシュ値を１ＥＶに比べて２ＥＶとすることにより測距センサ３ａ、３ｂの出力を測光誤差によって誤った逆光判断を行わないようにする。
【０１１２】
ステップＳ２１７では、ＢＶＡＶＧの輝度値に応じた絞り値でシャッタ１９を制御して、フィルム１０ヘの露出を行う。
【０１１３】
ステップＳ２１８では、ＢＶＡＶＧの輝度値に応じた絞り値でシャッタ１９を制御して、または、手ぶれＥＶ値に応じた絞り値でシャッタ１９を制御して、フィルム１０ヘの露出を行うとともに、逆光である主被写体の露出を適性にするため、または、画面全体が暗いのを適性にするために、ストロボ回路１５を介してストロボ１６を発光する。
【０１１４】
ステップＳ２１９では、フイルム１０ヘの露光が終了したため、フィルム１０を１駒巻き上げて終了する。
【０１１５】
なお、上述したような図７のシーケンスを実行する場合において、測距センサ３ａ、３ｂの輝度ＢＶＳＰと、測光センサ６ａ、６ｂの輝度ＢＶＡＶＧの値と発光の関係とを説明するために示している図６において、横軸は、測光センサ６ａ、６ｂの輝度ＢＶＡＶＧを表し、縦軸は、測距センサ３ａ、３ｂの輝度ＢＶＳＰを表している。
【０１１６】
この図６において、領域Ａ，Ｄは、上述した低輝度判断により発光する低輝度自動発光領域を示している。
【０１１７】
本実施の形態では、この低輝度自動発光領域は、ＩＳＯ感度と、焦点距離に応じた手ぶれシャッタ秒時と、焦点距離に応じた絞り値とから算出する。
【０１１８】
例えば、本実施の形態では、この低輝度自動発光領域は、ＩＳＯ１００、ワイドではＢＶ５、領域Ｄ＋Ａであり、ＩＳＯ４００、ワイドではＢＶ３、領域Ｄ＋Ａである。
【０１１９】
また、領域Ｂは、上述した逆光判断により発光する逆光自動発光領域を示している。
【０１２０】
また、領域Ｃは、上述した低輝度判断、逆光判断により発光しない非発光領域を示している。
【０１２１】
すなわち、以上のような別の具体例によれば、測光センサ６ａ、６ｂの測光値に応じて、測光センサ６ａ、６ｂと測距センサ３ａ、３ｂとを用いた逆光判断のスレッシュ値を変えているので、測距センサ３ａ、３ｂの誤差が大きめな輝度領域であっても、正確な逆光検出を行うことができる。
【０１２２】
なお、本実施の形態では、測距ポイントとして測距センサを１３個のブロックに分割しているが、その他さまざまな分割形態による測距センサの出力を主被写体の測光に使用する場合にも応用可能である。
【０１２３】
また、本実施の形態では、一次元の測距ポイントをもつ測距センサを用いているが、例えば、二次元の各エリアを測距可能なマルチ測距センサの出力を主被写体測光に使用する場合にも応用可能である。
【０１２４】
また、本実施の形態では、銀塩フィルムを使用するカメラについて記載しているが、例えば、撮影光学系と、測距光学系とが異なるデジタルカメラにも応用可能である。
【０１２５】
また、本実施の形態では、主被写体の測光値を、逆光検出に使用しているが、例えば、類似の構成を用いて、測距センサの主被写体の以外のエリアの測光値や、画面全体の測光値などから、露出補正を行う場合のみに利用してもよい。
【０１２６】
また、本実施の形態では、測距センサの一部を用いた主被写体測光値と、測光センサを用いた画面全体の平均測光値とを露出の決定に使用した構成となっているが、これに限られること無く、例えば、測距センサの一部を用いた主被写体測光値と、測距センサ全部を用いた画面全体の測光値とを露出の決定に使用した構成としてもよい。
【０１２７】
また、本実施の形態では、測光や、逆光検知はすべてカメラが行うオートモードの例であるが、例えば、測距センサをスポット測光等に使用するような構成の場合にも応用可能である。
【０１２８】
【発明の効果】
従って、以上説明したように、本発明によれば、ＡＦセンサとＡＥセンサとで逆光検知するシステムにおいて、ＡＥセンサでの測光値が所定輝度以上の場合には逆光検知を行わないようにするとともに、多点ＡＦセンサと分割ＡＥセンサで逆光検知するシステムにおいて、少なくとも一つのＡＥセンサでの測光値が所定輝度以上の場合には逆光検知を行わないようにすることにより、測光範囲ぎりぎりのような撮影条件であっても不都合のない逆光判定を行うことができるようにしたカメラを提供することができる。
【図面の簡単な説明】
【図１】図１は、本発明の一実施の形態によるカメラの主要部の構成を示すブロック図である。
【図２】図２は、撮影視野と測距視野との関係を説明するために示す図である。
【図３】図３は、測距センサによる測距ポイントの関係と、得られる像データの関係とを示す図である。
【図４】図４は、図５のシーケンスを実行する場合において、測距センサの輝度ＢＶＳＰと、測光センサの輝度ＢＶＡＶＧの値と、発光の関係を説明するために示す図である。
【図５】図５は、本発明を３５ｍｍ〜８０ｍｍまで焦点距離が可変なズームレンズカメラに用いた具体例について、シーケンスを説明するために示すフローチャートである。
【図６】図６は、図７のシーケンスを実行する場合において、測距センサの輝度ＢＶＳＰと、測光センサの輝度ＢＶＡＶＧの値と、発光の関係を説明するために示す図である。
【図７】図７は、本発明を３５ｍｍ〜８０ｍｍまで焦点距離が可変なズームレンズカメラに用いた別の具体例について、シーケンスを説明するために示すフローチャートである。
【符号の説明】
８…撮影レンズ（撮影光学系）、
１０…フィルム、
１…ＣＰＵ、
１３…スイッチ入力手段、
１４…ズーム駆動回路、
１９…シヤッタ、
２０…ファインダ光学系、
６ａ、６ｂ…測光センサ、
２１…ＡＥ回路、
１５…ストロボ回路、
１６…ストロボ。
【図１】
2004012614.tif 000003
【図２】
2004012614.tif 000004
【図３】
2004012614.tif 000005
【図４】
2004012614.tif 000006
【図５】
2004012614.tif 000007
【図６】
2004012614.tif 000008
【図７】
2004012614.tif 000009